(57)【要約】【課題】自由空間において飛散する犬毛等や床に溜まった犬毛等をある一定の場所に集毛する。【解決手段】ペットが居る屋内にイオン風カーテンにより任意の清浄空間Ａを構築する工程と、清浄空間Ａ内の床面に飛散して積もったペット毛を集毛する工程とからなり、清浄空間Ａ内の床面用空気循環型クリーニング装置２により一方の吹出口２６から空気を吹きつけると同時に他方の吸入口２４によって吸引してペット毛をフィルター２３に集毛する。【選択図】図１
2017023140.tif 000002
【特許請求の範囲】
【請求項１】
ペットが居る屋内にイオン風カーテンにより任意の清浄空間を構築する工程と、前記清浄空間内の床面に飛散して積もったペット毛を集毛する工程とからなり、
前記清浄空間内の床面用空気循環型クリーニング装置により一方の吹出口から空気を吹きつけると同時に他方の吸入口によって吸引してペット毛をフィルターに集毛することを特徴とする自由空間におけるペット毛の集毛方法。
【請求項２】
請求項１に記載の自由空間におけるペット毛の集毛方法において、床面全体に設けた複数の送風ロから微量空気を吹き上げて床面に積もったペット毛を浮き上がらせるとともに、ペット毛を一方の吹出口から空気を吹きつけると同時に他方の吸入口によって吸引してフィルターに集毛することを特徴とする自由空間におけるペット毛の集毛方法。
【請求項３】
ペットが居る屋内にイオン風カーテンにより任意の清浄空間を構築する工程と、前記清浄空間内の床面に飛散して積もったペット毛を集毛する工程とからなり、
前記清浄空間内の床面用空気循環型クリーニング装置により床面全体に設けた複数の傾斜吹出ロから空気を斜め上方向に吹きつけると同時に他方の吸入口によって吸引してペット毛をフィルターに集毛することを特徴とする自由空間におけるペット毛の集毛方法。
【請求項４】
請求項１に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記吸入ロと対向する他端に吹出口を設け、前記吹出口からの送風により前記床部上面に溜まっているペット毛を前記吸入口の方向に移動させて前記フィルターで収集することを特徴とする床面用空気循環型クリーニング装置。
【請求項５】
請求項２に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記吸入ロと対向する他端に吹出口を設け、更に前記床部の床面全体に複数の送風ロを設け、前記送風ロからの微量送風により前記床部上面に溜まっているペット毛を浮き上がらせるとともに、前記吹出口からの送風によりペット毛を前記吸入口の方向に移動させて前記フィルターで収集することを特徴とする床面用空気循環型クリーニング装置。
【請求項６】
請求項３に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記床部の床面全体に複数の傾斜吹出ロを設け、前記傾斜吹出口からの送風により前記床部上面に溜まっているペット毛を前記吸入口の方向に移動させて前記フィルターで収集することを特徴とする床面用空気循環型クリーニング装置。
【請求項７】
請求項６に記載の床面用空気循環型のクリーニング装置において、前記床部が分割された分割床部材から構成され、前記各分割床部材の床面全体に複数の前記傾斜吹出口を設け、前記各分割床部材が連結可能な構造になっていることを特徴とする床面用空気循環型クリーニング装置。
【請求項８】
請求項１乃至請求項３に記載のペットが居る屋内は、賃貸集合住宅、動物病院、ペットショップ、大型商業施設、イベント会場などの任意の屋内であって前記自由空間におけるペット毛の集毛方法が提供され、前記屋内にトリミングスペースが設置され、前記トリミングスペースを利用するトリマーを登録して施設利用管理と顧客・売上管理をトータルで管理可能にすることを特徴とするトリミングスペースのシェアリングシステム。
【発明の詳細な説明】
【技術分野】
【０００１】
本発明は、自由空間において飛散する犬毛等や床に溜まった犬毛等をあるー定の場所に集毛する方法及びそれに使用される床面用空気循環型クリーニング装置、更にはトリミングスペースのシェアリングシステムに関するものである。
【背景技術】
【０００２】
従来は一般家庭でペットを室内で飼われている家で離毛した毛が空間や床及び家具の隙間に撒き散らされる。又、トリミングを業としている作業場の空間及び床に撒き散らかされている犬毛は数百万本にも達する。この犬毛は人毛と比較して直径が数分の１程度のため微風でも飛散する。
【０００３】
そのため床に撒き散らかされた犬毛を掃除機等で掃除をする必要があるが、作業時間のロスや、掃除機の排気風による犬毛の舞い上がりが起こり徹底した掃除が困難な上、健康上も良くない状態が起こるなどの欠点があった。また、トリマーはマスク等をして毛の体内への侵入を予防しているのが現状である。
【０００４】
同様に一般家庭においてペットを部屋で飼う家庭が多くなり、家庭内に離毛の飛散が多くなり部屋の隅、天井、床に犬毛等が付着するなどの欠点があった。又犬毛アレルギーを起こす子供達もおり、清掃が大切であるが、前述したごとく清掃が困難である。
【０００５】
更に、一般家庭やトリミング作業場で使用しているエアコンのメンテナンスを頻繁に行なう必要があった。
【０００６】
また、犬毛が静電気により衣服への付着、周辺の部材への付着等が更に掃除を困難なものにさせる。また、一般家庭内で犬毛が衣服に付着したまま全室を移動することで家全体が床のみならず天井近くの高い場所、家具類の裏面に付着し、取り除くことは難しいなどの欠点があった。
【０００７】
一方、自由空間における浮遊粉塵を除去する従来技術としては、以下に示すような発明が提案されている。
【０００８】
特開２００２−９５９９８号公報（特許文献１）には、帯電エアーシャワーユニットにより、気体分子に電荷を与え電気的中性化し、ブラウン運動を抑制すると共に電荷を消失した気体分子をイオン風で誘導し、局所排気装置や空気清浄機に効率良く吸引せしめ、隔壁を設けずイオン風のカーテンのみで遮蔽し、隔壁設備無しで清浄な遮蔽空間を構築する局所清浄化システムを提供することを目的として、「イオン風を利用した帯電エアーシャワーユニットと局所排気装置を用い、隔壁設備無しで清浄な遮蔽空間を構築する局所清浄化システム」が提案されている。
【０００９】
また、特開２０１４−１４７８９５号公報（特許文献２）には、解体作業等の粉塵を発生させる作業が広い空間で行われる場合であっても作業空間に浮遊する粉塵を効率的に除去することを目的として、「浮遊粉塵除去システム」が提案されている。
【００１０】
しかしながら、上記特許文献１及び特許文献２には、床面に溜まった犬毛等のペット毛をある一定の場所に集毛する方法等についての記載や示唆はない。また、静電気により衣服への付着、周辺の部材への付着等にかかるペット毛の除去等についても開示されていない。
【先行技術文献】
【特許文献】
【００１１】
【特許文献１】特開２００２−９５９９８号公報
【特許文献２】特開２０１４−１４７８９５号公報
【発明の概要】
【発明が解決しようとする課題】
【００１２】
本発明は、自由空間において飛散する犬毛等や床に溜まった犬毛等をある一定の場所に集毛する方法等に関するものであり、上部空間はイオン風を組み込みんだエアーカーテンで浮遊している犬毛等の帯電を除去すると同時に、その清浄空間より外部に飛散させない構成とし、清浄空間内の床面に循環式クリーニング装置を配置して離毛した犬毛等を効率よく集毛し、一般家庭人やトリマーが飛散している犬毛等を吸いこむことがなくなり、更に日常の清掃や作業後の清掃時間も短縮できる等の特徴を備えた自由空間におけるペット毛の集毛方法及びそれに使用される床面用空気循環型クリーニング装置を提供することを目的とする。  
【課題を解決するための手段】
【００１３】
上記の課題を解決するために、請求項１に記載の発明は、ペットが居る屋内にイオン風カーテンにより任意の清浄空間を構築する工程と、前記清浄空間内の床面に飛散して積もったペット毛を集毛する工程とからなり、前記清浄空間内の床面用空気循環型クリーニング装置により一方の吹出口から空気を吹きつけると同時に他方の吸入口によって吸引してペット毛をフィルターに集毛することを特徴とする。
【００１４】
また、請求項２に記載の発明は、請求項１に記載の自由空間におけるペット毛の集毛方法において、床面全体に設けた複数の送風ロから微量空気を吹き上げて床面に積もったペット毛を浮き上がらせるとともに、ペット毛を一方の吹出口から空気を吹きつけると同時に他方の吸入口によって吸引してフィルターに集毛することを特徴とする。
【００１５】
また、請求項３に記載の発明は、ペットが居る屋内にイオン風カーテンにより任意の清浄空間を構築する工程と、前記清浄空間内の床面に飛散して積もったペット毛を集毛する工程とからなり、前記清浄空間内の床面用空気循環型クリーニング装置により床面全体に設けた複数の傾斜吹出ロから空気を斜め上方向に吹きつけると同時に他方の吸入口によって吸引してペット毛をフィルターに集毛することを特徴とする。
【００１６】
また、請求項４に記載の発明は、請求項１に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記吸入ロと対向する他端に吹出口を設け、前記吹出口からの送風により前記床部上面に溜まっているペット毛を前記吸入口の方向に移動させて前記フィルターで収集することを特徴とする。
【００１７】
また、請求項５に記載の発明は、請求項２に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記吸入ロと対向する他端に吹出口を設け、更に前記床部の床面全体に複数の送風ロを設け、前記送風ロからの微量送風により前記床部上面に溜まっているペット毛を浮き上がらせるとともに、前記吹出口からの送風によりペット毛を前記吸入口の方向に移動させて前記フィルターで収集することを特徴とする。
【００１８】
また、請求項６に記載の発明は、請求項３に記載の前記清浄空間内の床面に飛散して積もったペット毛を集毛する工程において使用される床面用空気循環型クリーニング装置は、送風機と風洞が内設された床部を備え、前記送風機側の一端に吸入ロとフィルターを設けるとともに、前記床部の床面全体に複数の傾斜吹出ロを設け、前記傾斜吹出口からの送風により前記床部上面に溜まっているペット毛を前記吸入口の方向に移動させて前記フィルターで収集することを特徴とする。
【００１９】
また、請求項７に記載の発明は、請求項６に記載の床面用空気循環型のクリーニング装置において、前記床部が分割された分割床部材から構成され、前記各分割床部材の床面全体に複数の前記傾斜吹出口を設け、前記各分割床部材が連結可能な構造になっていることを特徴とする。
【００２０】
また、請求項８に記載の発明は、トリミングスペースのシェアリングシステムであって、請求項１乃至請求項３に記載のペットが居る屋内が、賃貸集合住宅、動物病院、ペットショップ、大型商業施設、イベント会場などの任意の屋内であり前記自由空間におけるペット毛の集毛方法が提供され、前記屋内にトリミングスペースが設置され、前記トリミングスペースを利用するトリマーを登録して施設利用管理と顧客・売上管理をトータルで管理可能にすることを特徴とする。
【発明の効果】
【００２１】
以上のように、本発明によれば、自由空間において床部に吹出口と吸入口を設けて、床面に飛散して積もった犬毛等を吹出口より空気を吹きつけて吸入口での方向に移動させてフィルターで収集できるので、生活環境や作業環境の改善を図れるとともに、清掃の作業時間を短縮できる。
【００２２】
また、床面全体に複数の吹出口を設けることにより、微量風力で犬毛等を浮き上がらせて吸入口で集毛することができる。
【００２３】
また、床面全体に複数の傾斜吹出口を設けることにより、浮き上がらせた犬毛等を順次移動させことで、更に少ない風力でも集毛が可能になり、省エネや低騒音も実現できる。
【００２４】
さらに、床部を分割して各分割床部材が連結可能な構造になっているので、自由空間の大きさに合せた床部が簡単に組み立てられる。
【００２５】
加えて、トリミングスペースのシェアリングシステムをペットショップ・動物病院内にあるトリミング室に導入した場合、今後問題となる人材確保及び管理育成がなく家賃として営業外収益が得ることが可能になる。また、不動産・建築業界に導入した場合、賃料外収益が得られると共に物件に対する付加価値が付き月額賃料相場より高くなるという効果が得られる。
【図面の簡単な説明】
【００２６】
【図１】本発明の自由空間におけるペット毛の集毛方法の一例を示す斜視図である。
【図２】本発明の床面用空気循環型クリーニング装置の第１例を示す断面図である。
【図３】本発明の床面用空気循環型クリーニング装置の第２例を示す斜視図である。
【図４】本発明の床面用空気循環型クリーニング装置の第３例を示す断面図である。
【図５】本発明の床面用空気循環型クリーニング装置の第４例を示す断面図である。
【図６】本発明の床面用空気循環型クリーニング装置の第５例を示す斜視図である。
【図７】図６に示す分割床部材の構造を示す斜視図である。
【発明を実施するための形態】
【００２７】
以下、本発明の実施形態の一例について図を参酌しながら説明する。図１は、本発明の自由空間におけるペット毛の集毛方法の一例を示す斜視図である。図２は、本発明の床面用空気循環型クリーニング装置の第１例を示す断面図である。なお、本発明の任意の清浄空間Ａを構築する工程において使用されるイオン風の発生装置１と、清浄空間Ａ内の床面に飛散して積もったペット毛を集毛する工程において使用される床面用空気循環型クリーニング装置２の各構成については、以下の実施例に限定されるものではなく、使用状況によって適宜変更することができる。
【００２８】
本発明の自由空間におけるペット毛の集毛方法の基本概念は、図１に示すように、上方に自由空間を囲うようにイオン風の発生装置１を配置するとともに、その下方に床面用空気循環型クリーニング装置２を配置して、イオン風ｌａにより空間内の犬毛等のペット毛の帯電を取り除き、床部２１の床面２５に落下させるようにしている。また、図２に示すように、床部２１には送風機２２と風洞２８が内設され、送風機２２側の一端には吸入ロ２４とフィルター２３が設けられ、吸入ロ２４と対向する他端に吹出口２６が設けられ、吹出口２６からの送風２６ｂにより床面２５に溜まっている犬毛等のペット毛を吸入口２４の方向に移動させてフィルター２３で収集するようにしている。
【００２９】
図３は、本発明の床面用空気循環型クリーニング装置の第２例を示す斜視図である。図３に示すように、床面用空気循環型クリーニング装置２は、上述した第１例の床面２５を組込まない構造のものであり、送風機２２側の一端には吸入ロ２４とフィルター２３が設けられ、吸入ロ２４と対向する他端に吹出口２６が設けられ、吸入口２４と吹出口２６の間をパイプ２９により結合させ、吹出口２６からの送風２６ｂにより清浄空間内の床に溜まっている犬毛等のペット毛を吸入口２４の方向に移動させてフィルター２３で収集するようにしている。このような構造を採用することより、低廉化で設置ができる利点がある。
【００３０】
図４は、本発明の床面用空気循環型クリーニング装置の第３例を示す断面図である。図４に示すように、床部２１には送風機２２と風洞２８が内設され、送風機２２側の一端には吸入ロ２４とフィルター２３が設けられ、吸入ロ２４と対向する他端に吹出口２６が設けられ、更に床部２１の床面２５全体に複数の送風ロ３０が設けられ、送風ロ３０からの微量送風３０ｃにより床面２５に溜まっている犬毛等のペット毛を浮き上がらせるとともに、吹出口２６からの送風により犬毛等のペット毛を吸入口２４の方向に移動させてフィルター２３で収集するようにしている。このような構造を採用することより、送風モータ２７の小型化が可能になり且つ低騒音の実現が可能になる。
【００３１】
図５は、本発明の床面用空気循環型クリーニング装置の第４例を示す断面図である。図５に示すように、床部２１には送風機２２と風洞２８が内設され、送風機２２側の一端には吸入ロ２４とフィルター２３が設けられ、床部２１の床面２５全体に複数の傾斜吹出ロ３１が設けられ、傾斜吹出口３１からの送風３１ｄにより床面２５に溜まっている犬毛等のペット毛を吸入口２４の方向に移動させてフィルター２３で収集するようにしている。このような構造を採用することより、送風モータ２７も更に小型化が可能になり且つ更なる低騒音の実現も可能になる。
【００３２】
図６は本発明の床面用空気循環型クリーニング装置の第５例を示す斜視図、図７は図６の分割床部材の構造を示す斜視図である。図６に示すように、上述した第４例の床部２１が分割された分割床部材３２の床面２５全体に複数の傾斜吹出口３１が設けられ、各分割床部材３１が連結可能な構造になっている。このため、分割された分割床部材３２を自由空間内に配置して組み立てることができる。また、連結端部に位置する分割床部材３２の先端部には、空気が漏れないように蓋３３が装着される。このように、分割床部材３２を複数枚配置することで、自由空間の大きさに合せた床部２１が簡単に組み立てられる。
【００３３】
次に、トリミングスペースのシェアリングシステムについて説明する。
【００３４】
本システムは、フリートリマー（お客様を持っているが、出張及び自宅での簡易設備によるトリマー）、結婚・出産・育児期間をとっているリタイヤメントトリマーに職場の提供を目的とする。ペットが居る屋内は、賃貸集合住宅、動物病院、ペットショップ、大型商業施設、イベント会場などの任意の屋内であって前記自由空間におけるペット毛の集毛方法が提供され、その屋内にトリミングスペースが設置される。
【００３５】
トリミングスペースについては、例えば、最新設備機器を配置したスペースを時間貸し・定期期間貸しする。基本的に共有スペース部分とトリミングテーブル１台当たりのスペースを貸し出し、水道光熱費を含め賃貸額を設定する。
また、施設利用管理に関しては、このトリミングスペースを利用するトリマーを登録してもらい、一人ずつにＩＤカードを発行し、パスワードもしくはカードキーで入場し施設利用する。一方、顧客・売上管理に関しては、ＰＯＳレジを利用し必要データを入力する事で利用者の集客・売上向上に貢献する。このように、施設利用管理と顧客・売上管理をトータルで管理することができる。
【００３６】
本システムをペットショップ・動物病院内にあるトリミング室に導入した場合、今後問題となる人材確保及び管理育成がなく家賃として営業外収益が得ることが可能になる。また、不動産・建築業界に導入した場合、賃料外収益が得られると共に物件に対する付加価値が付き月額賃料相場より高くなる（古い建物の場合、月額賃料のハドメとなる。）最終、高利回り及び利回り改善に貢献できる。
【００３７】
即ち、本システムの導入先のターゲットとしては、賃貸集合住宅（ペット共住型含む）、動物病院、ペットショップ、大型商業施設、イベント会場、空き家のリノベーション活用、その他オーナー業が考えられる。これにより、本システムの提供者は、商業施設や賃貸集合住宅などとビジネスライセンス提携することで、ショールームが全国に配置できるとともに、レンタル・リース事業の新規構築で月々の安定収益を得ることができる。
【符号の説明】
【００３８】
Ａ  清浄空間
１  イオン風の発生装置
１ａ  イオン風
２  床面用空気循環型クリーニング装置
２１  床部
２２  送風機
２３  フィルター
２４  吸入□
２５  床面
２６  吹出口
２６ｂ  送風
２７  送風モータ
２８  風洞
２９  パイプ
３０  送風口
３０ｃ  送風
３１  傾斜吹出ロ
３１ｄ  送風
３２  分割床部材
３３  蓋
３４  結合部
【図１】
2017023140.tif 000003
【図２】
2017023140.tif 000004
【図３】
2017023140.tif 000005
【図４】
2017023140.tif 000006
【図５】
2017023140.tif 000007
【図６】
2017023140.tif 000008
【図７】
2017023140.tif 000009